(57)【要約】【課題】  エラーなしにプログレッシブフォーマットに変換してくれる映像フォーマットの変換装置及びその方法を提供する。【解決手段】  時間的に連続する複数のフィールドで、補間すべき現フィールドが３：２プルダウンフォーマットの映像であるかを判断する３：２プルダウン検出部と、前記現フィールドにスクロールモーションが存するかを判断するスクロールテキスト/グラフィック検出部と、前記現フィールドのピクセルに対する補間値を算出する３：２プルダウン補償部と、前記ピクセルに対する補間値を算出するＩＰＣ部と、スクロールテキスト/グラフィック検出部及び３：２プルダウン検出部からの判断結果に基づいて、３：２プルダウン補償部及びＩＰＣ部の補間値のうち何れか１つを選択的に出力する出力選択部と、を備える。【選択図】  図２
2004208312.tif 000002
【特許請求の範囲】
【請求項１】
時間的に連続する複数のフィールドの中で、補間すべく現フィールドが３：２プルダウンされ生成された３：２プルダウンフォーマットの映像であるかを判断する３：２プルダウン検出部と、
前記現フィールドにスクロールモーションが存するかを判断するスクロールテキスト/グラフィック検出部と、
３：２プルダウンによる補間方法を使用して前記現フィールドの補間すべくピクセルに対する補間値を算出する３：２プルダウン補償部と、
所定の補間方法を使用して前記現フィールドの補間すべくピクセルに対する補間値を算出するＩＰＣ部と、
前記スクロールテキスト/グラフィック検出部及び前記３：２プルダウン検出部からの判断結果に基づいて、前記３：２プルダウン補償部及び前記ＩＰＣ部の補間値のうち何れかの１つを選択的に出力する出力選択部と、を含むことを特徴とする映像フォーマットの変換装置。
【請求項２】
前記出力選択部は、
前記３：２プルダウン補償部及び前記ＩＰＣ部の補間値のうち何れの１つを選択的に出力する出力部と、
前記スクロールテキスト/グラフィック検出部及び前記３：２プルダウン検出部からの判断結果に基づいて、前記出力部の出力を制御する変換方法選択部と、を含むことを特徴とする請求項１に記載の映像フォーマットの変換装置。
【請求項３】
前記変換方法選択部は、前記３：２プルダウン検出部からの判断結果、前記現フィールドが３：２プルダウンフォーマットである場合、前記スクロールテキスト/グラフィック検出部からの判断結果を参照して、前記現フィールドにスクロールモーションが存する場合には前記ＩＰＣ部の補間値を出力し、前記現フィールドにスクロールモーションが存しない場合には前記３：２プルダウン補償部の補間値を出力するように前記出力部からの出力を制御することを特徴とする請求項２に記載の映像フォーマットの変換装置。
【請求項４】
前記変換方法選択部は前記３：２プルダウン検出部からの判断結果、前記現フィールドが３：２プルダウンフォーマットでない場合には、前記ＩＰＣ部の補間値が出力されるように前記出力部の出力選択を制御することを特徴とする請求項２に記載の映像フォーマットの変換装置。
【請求項５】
前記スクロールテキスト/グラフィック検出部は、
前記現フィールドにスクロールモーションが存するかを判断するスクロール検出部と、
前記スクロール検出部からの判断結果、前記スクロールモーションが存する場合に所定の探索領域内の各ライン別に前記スクロールモーションが存するかを表すスクロールモーション情報を算出するスクロールライン検出部と、
前記スクロールモーション情報を各ライン別に格納するスクロールフラグバッファと、
該スクロールフラグバッファに格納された各ライン別スクロールモーション情報のうち何れか１つを選択的に出力するマルチプレクサーと、を含むことを特徴とする請求項１に記載の映像フォーマットの変換装置。
【請求項６】
前記スクロールテキスト/グラフィック検出部は、前記現フィールド及び前記現フィールドの前後フィールドを基準にして前記スクロールモーションが存するかを判断することを特徴とする請求項５に記載の映像フォーマットの変換装置。
【請求項７】
前記スクロールライン検出部は、３：２プルダウンによる所定の周期に応じて決められるフィールド間を基準にし、前記スクロールモーション情報を算出することを特徴とする請求項５に記載の映像フォーマットの変換装置。
【請求項８】
前記３：２プルダウン検出部は、
前記複数のフィールドにて、フィールド単位で算出される各フィールド別動き情報と前記３：２プルダウンによる一定の周期を有するフィールドのパターンを比較して、３：２プルダウンフォーマットであるかを判断することを特徴とする請求項１に記載の映像フォーマットの変換装置。
【請求項９】
（ａ）時間的に連続する複数のフィールドの中で、補間すべく現フィールドが３：２プルダウンされ生成された３：２プルダウンフォーマットの映像であるかを判断するステップと、
（ｂ）前記現フィールドにスクロールモーションが存するかを判断するステップと、
（ｃ）３：２プルダウンによる補間方法を使用して前記現フィールドの補間すべくピクセルに対する補間値を算出するステップと、
（ｄ）第２の補間方法を使用して前記現フィールドの補間すべくピクセルに対する補間値を算出するステップと、
（ｅ）前記現フィールドが３：２プルダウンフォーマットの映像であるか否か、及びスクロールモーションが存するか否かに基づいて、３：２プルダウンによる補間方法による補間値及び前記第２の補間方法による補間値のうち何れか１つを選択的に出力するステップと、を含むことを特徴とする映像フォーマットの変換方法。
【請求項１０】
前記選択的に出力する段階は、前記現フィールドが３：２プルダウンフォーマットであり、前記現フィールドにスクロールモーションが存する場合には前記第２の補間方法によって補間値を出力し、前記現フィールドにスクロールモーションが存しない場合には３：２プルダウンにかかる補間方法による補間値を出力することを特徴とする請求項９に記載の映像フォーマットの変換方法。
【請求項１１】
前記選択的に出力するステップは、前記現フィールドが３：２プルダウンフォーマットでない場合、前記第２の補間方法による補間値を出力することを特徴とする請求項９に記載の映像フォーマットの変換方法。
【請求項１２】
前記（ｂ）ステップは、
前記現フィールドにスクロールモーションが存するかを判断するステップと、
前記判断の結果、スクロールモーションが存する場合、所定の探索領域内の各ライン別に前記スクロールモーションが存するかを表すスクロールモーション情報を算出するステップと、
前記スクロールモーション情報を各ライン別に格納するステップと、
格納された各ライン別スクロールモーションのうち何れか１つを選択的に出力するステップと、を含むことを特徴とする請求項９に記載の映像フォーマットの変換方法。
【請求項１３】
前記現フィールドにスクロールモーションが存するかを判断するステップは、前記現フィールド及び前記現フィールドの前後フィールドを基準にして前記スクロールモーションを検出することを特徴とする請求項１２に記載の映像フォーマットの変換方法。
【請求項１４】
前記各ライン別にスクロール情報を検出するステップは、３：２プルダウンによる所定の周期に応じて決められるフィールド間を基準にし、前記スクロールモーション情報を算出することを特徴とする請求項１２に記載の映像フォーマットの変換方法。
【請求項１５】
前記（ａ）ステップは、
前記複数のフィールドにて、フィールド単位で算出される各フィールド別動き情報と前記３：２プルダウンによる一定の周期を有するフィールドのパターンを比較して、３：２プルダウンフォーマットであるかを判断することを特徴とする請求項９に記載の映像フォーマットの変換方法。
【発明の詳細な説明】
【技術分野】
【０００１】
本発明は、映像フォーマットの変換装置及びその方法に関し、特に、３：２プルダウンされ生成された映像に含まれている水平方向に動くインタレースフォーマットのテキスト（text）と、グラフィックデータを検出してエラーなしにプログレッシブフォーマットの映像に変換できる映像フォーマットの変換装置及びその方法に関する。
【背景技術】
【０００２】
一般に、映像ディスプレー装置としては、インタレーススキャン（interlace scan）方式やプログレッシブスキャン（progressive scan）方式が採用される。インタレーススキャン方式は、一般的にＴＶなどに適用されるもので、１つの映像を表示する際に１つのイメージフレームを２つのフィールドに分けて順次交代に画面に表示する方式である。尚、２つのフィールドはtopフィールドとbottomフィールド、upperフィールドとlowerフィールド、oddフィールドとevenフィールドなどのように呼ばれる。これに対して、プログレッシブスキャン（あるいはnon-interlaced scan）方式は、コンピューターモニター、デジタルＴＶなどに採用されるもので、まるでフィルムをスクリーンに映写するように、１つのイメージフレームをフレーム単位にして全フレームを一度に表示する方式のことをいう。
【０００３】
例えば、４８０ラインのＮＴＳＣ（National Television System Committee）のインタレーススキャン方式の場合（正確には５２５ラインに有効ライン４８７）、１つのフレームは２４０ラインに分けられた２つのフィールドに表示され、このように分けられた２４０ラインのフィールドは１/６０秒ごとに交代し画面に表示される。反面、プログレッシブスキャン方式は、４８０ラインのイメージを１/６０秒ごとに一度にフレーム全体のイメージを完全に見せてくれる。従って、プログレッシブスキャン方式によるプログレッシブフォーマットの映像はインタレーススキャン方式によるインタレースフォーマットの映像よりその画質が優れる。
【０００４】
かかるプログレッシブスキャン方式と最も密接の関係を有するものの中でフィルムで製作された映画があるが、これは最近出される殆どのＤＶＤ映画タイトルの元のソースがフィルムから制作された映画であるためである。映画の場合はＮＴＳＣＴＶの場合と異なり、秒当り２４フレームで制作される。勿論ＤＶＤの場合は源本の映画のように２４フレームの源本イメージをＤＶＤに製作することが可能である。しかし、現在に普及されている一般のＴＶのような映像ディスプレー装置の殆どがインタレーススキャン方式であるため、現実的にＤＶＤはこのような点を考慮してインタレーススキャン方式で製造される。
【０００５】
よって、２４フレームのプログレッシブフォーマットのフィルムを６０フィールドのインタレースフォーマットの映像の方に転換させる作業が必要とされる。これを３：２プルダウン（pull-down）またはテレシネ（Telecine）ともいう。３：２プルダウン方法は２枚の２４Ｈｚフレームを５枚の６０Ｈｚフィールドに変換させる方法である。
【０００６】
図１は、３：２プルダウンを説明するための図である。同図を参照すると、秒当り２４フレームのプログレッシブフォーマットで制作された映像は、６０Ｈｚのインタレースフォーマットの映像に変換される。つまり、図示されているように、１番目フレーム（Frame１）にて３つのフィールドが生成され、２番目の（Frame２）にて２つのフィールドが生成されるなど、全体的に２つのフレーム当り５つのフィールドが生成される。
【０００７】
ところが、プログレッシブスキャン方式を使用する映像ディスプレー装置が増加すると同時に、相異なるスキャン方式を使用する装置間のデータ交換の必要性が増え、インタレーススキャン方式をプログレッシブスキャン方式に変換するＩＰＣ（Interlaced-to-progressive Conversion）方法が必要とされる。かかるＩＰＣ処理過程の中、もし補間すべくフィールドが３：２プルダウンされて生成された３：２プルダウンフォーマットの映像であれば、インタレースフォーマットのフィールドを組み合わせて、３：２プルダウンされる前の完全なプログレッシブフォーマットの映像が容易に得られる。従って、ＩＰＣ方法の実行に前もって、補間すべくフィールドが３：２プルダウンされた映像であるか否かを検出する必要性がある。かかる３：２プルダウンフォーマットの映像を検出する方法については種々の先行の技術が存在する。
【０００８】
ところが、３：２プルダウンフォーマットの映像に水平方向へスクロールされる字幕などのインタレースフォーマットのテキストやグラフィックデータが含まれる場合がある。この場合、スクロールテキストやグラフィックデータを考慮せず、単にインタレースフォーマットのフィールドを組み合わせて３：２プルダウンされる前のプログレッシブフォーマットの映像を作ると、補間された画面にてテキストなどがきれいに表示されず、ひどい場合はテキストが化けてしまう恐れがある。
【０００９】
従って、入力映像が３：２プルダウンフォーマットの映像である場合には、補間に前もって水平方向にスクロールされるインタレースフォーマットのテキストやグラフィックデータのスクロールモーションが存するかを検出し、これに応じて画面が適応的に補間できる映像フォーマットの変換装置及びその方法が必要である。
【特許文献１】韓国特許  102―2002―0074277
【発明の開示】
【発明が解決しようとする課題】
【００１０】
本発明は前述した問題点を解決するために案出されたもので、本発明の目的は、入力映像が３：２プルダウンされ生成された映像であるか否か、及び該映像に水平方向に動くインタレースフォーマットのテキストやグラフィックデータが存するか否かに応じて適応的に補間方法を選択し、エラーなしに画面をプログレッシブフォーマットの映像に変換してくれる映像フォーマットの変換装置及びその方法を提供することにある。
【課題を解決するための手段】
【００１１】
前述の目的を達成するための本発明に係る映像フォーマットの変換装置は、時間的に連続する複数のフィールドの中で、補間すべく現フィールドが３：２プルダウンされ生成された３：２プルダウンフォーマットの映像であるかを判断する３：２プルダウン検出部と、前記現フィールドにスクロールモーション（scroll motion）が存するかを判断するスクロールテキスト/グラフィック検出部と、３：２プルダウンによる補間方法を使用して前記現フィールドの補間すべくピクセルに対する補間値を算出する３：２プルダウン補償部と、所定の補間方法を使用して前記現フィールドの補間すべくピクセルに対する補間値を算出するＩＰＣ部と、前記スクロールテキスト/グラフィック検出部及び前記３：２プルダウン検出部からの判断結果に基づいて、前記３：２プルダウン補償部及び前記ＩＰＣ部の補間値のうち何れか１つを選択的に出力する出力選択部と、を含む。
【００１２】
前記出力選択部は、前記３：２プルダウン補償部及び前記ＩＰＣ部の補間値のうち何れの１つを選択的に出力する出力部と、前記スクロールテキスト/グラフィック検出部及び前記３：２プルダウン検出部からの判断結果に基づいて、前記出力部の出力を制御する変換方法選択部と、を含むことが好ましい。
【００１３】
この際、前記変換方法選択部は、前記３：２プルダウン検出部からの判断結果、前記現フィールドが３：２プルダウンフォーマットである場合、前記スクロールテキスト/グラフィック検出部からの判断結果を参照して、前記現フィールドにスクロールモーションが存する場合には前記ＩＰＣ部の補間値を出力し、前記現フィールドにスクロールモーションが存しない場合には前記３：２プルダウン補償部の補間値を出力するように前記出力部からの出力を制御することが好ましい。さらに、前記変換方法選択部は、前記３：２プルダウン検出部からの判断結果、前記現フィールドが３：２プルダウンフォーマットでない場合には前記ＩＰＣ部の補間値が出力されるように前記出力部の出力選択を制御することが好ましい。
【００１４】
前記スクロールテキスト/グラフィック検出部は、前記現フィールドにスクロールモーションが存するかを判断するスクロール検出部と、前記スクロール検出部からの判断結果、前記スクロールモーションが存する場合に所定の探索領域内の各ライン別に前記スクロールモーションが存するかを表すスクロールモーション情報を算出するスクロールライン検出部と、前記スクロールモーション情報を各ライン別に格納するスクロールフラグバッファと、該スクロールフラグバッファに格納された各ライン別スクロールモーション情報のうち何れの１つを選択的に出力するマルチプレクサーと、から構成可能である。
【００１５】
この場合、前記スクロールテキスト/グラフィック検出部は、前記現フィールド及び前記現フィールドの前後フィールドを基準にして前記スクロールモーションが存するかを判断することが好ましい。さらに、前記スクロールライン検出部は、３：２プルダウンによる所定の周期に応じて決められるフィールド間を基準にし、前記スクロールモーション情報を算出することが好ましい。
【００１６】
そして、前記３：２プルダウン検出部は、前記複数のフィールドにて、フィールド単位で算出される各フィールド別動き情報と前記３：２プルダウンによる一定の周期を有するフィールドのパターンを比較して、３：２プルダウンフォーマットであるかを判断することが好ましい。
【００１７】
一方、本発明の映像フォーマットの変換方法は、（ａ）時間的に連続する複数のフィールドの中で、補間すべく現フィールドが３：２プルダウンされ生成された３：２プルダウンフォーマットの映像であるかを判断するステップと、（ｂ）前記現フィールドにスクロールモーション（scroll motion）が存するかを判断するステップと、（ｃ）３：２プルダウンによる補間方法を使用して前記現フィールドの補間すべくピクセルに対する補間値を算出するステップと、（ｄ）第２の補間方法を使用して前記現フィールドの補間すべくピクセルに対する補間値を算出するステップと、（ｅ）前記現フィールドが３：２プルダウンフォーマットの映像であるか否か、及びスクロールモーションが存するか否かに基づいて、３：２プルダウンによる補間方法による補間値及び前記第２の補間方法による補間値のうち何れか１つを選択的に出力するステップと、を含む。
【００１８】
前記選択的に出力する段階は、前記現フィールドが３：２プルダウンフォーマットであり、前記現フィールドにスクロールモーションが存する場合には前記第２の補間方法によって補間値を出力し、前記現フィールドにスクロールモーションが存しない場合には３：２プルダウンにかかる補間方法による補間値を出力することが好ましい。さらに、前記選択的に出力するステップは、前記現フィールドが３：２プルダウンフォーマットでない場合、前記第２の補間方法による補間値を出力することが好ましい。
【００１９】
前記（ｂ）ステップは、前記現フィールドにスクロールモーションが存するかを判断するステップと、前記判断の結果、スクロールモーションが存する場合、所定の探索領域内の各ライン別に前記スクロールモーションが存するかを表すスクロールモーション情報を算出するステップと、前記スクロールモーション情報を各ライン別に格納するステップと、格納された各ライン別スクロールモーションのうち何れか１つを選択的に出力するステップと、を含むように構成することが好ましい。
【００２０】
この場合、前記現フィールドにスクロールモーションが存するかを判断するステップは、前記現フィールド及び前記現フィールドの前後フィールドを基準にして前記スクロールモーションを検出することが好ましい。さらに、前記各ライン別にスクロール情報を検出するステップは、３：２プルダウンによる所定の周期に応じて決められるフィールド間を基準にし、前記スクロールモーション情報を算出することが好ましい。
【００２１】
そして、前記（ａ）ステップは、前記複数のフィールドにて、フィールド単位で算出される各フィールド別動き情報と前記３：２プルダウンによる一定の周期を有するフィールドのパターンを比較して、３：２プルダウンフォーマットであるかを判断することが好ましい。
【発明の効果】
【００２２】
本発明によれば、３：２プルダウンフォーマットの映像に水平方向に動くインタレースフォーマットのテキストやグラフィックデータが存する場合、これを検出してエラーのない質の高いプログレッシブフォーマットの映像が得られる。
【発明を実施するための最良の形態】
【００２３】
以下、添付図面を参照して本発明を詳説する。
図２は、本発明に係る映像フォーマットの変換装置に対するブロック図である。本映像フォーマットの変換装置は、スクロールテキスト/グラフィック検出部１００と、３：２プルダウン検出部１５０と、３：２プルダウン補償部２００と、ＩＰＣ部２５０と、変換方法選択部３００と、出力部３５０からなる。
【００２４】
スクロールテキスト/グラフィック検出部１００、３：２プルダウン検出部１５０、３：２プルダウン補償部２００、及びＩＰＣ部２５０には、補間のためのインタレースフォーマットの入力映像が入力される。この入力映像は時間的に連続する複数のフィールドから構成される。この際、現在に補間するフィールドを現フィールド（current field）とし、現フィールドに時間的に前後のフィールドをそれぞれ前フィールド（previous field）及び次フィールド（next field）とする。前フィールド及び次フィールドは、現フィールドについての参照フィールド（reference field）になる。
【００２５】
スクロールテキスト/グラフィック検出部１００は、現フィールド及び参照フィールドを基準にして、現フィールドに水平方向へスクロールされるインタレースフォーマットのテキストやグラフィックデータなどのスクロールモーションが存するかをライン別に判断する。
【００２６】
３：２プルダウン検出部１５０は、入力映像が３：２プルダウンにより生成された３：２フォーマットの映像であるかを検出する。３：２プルダウン補償部２００は、３：２プルダウンによる補間方法を現フィールドにて補間すべくピクセルに対する補間値を算出する。ＩＰＣ部２５０は、動き補償補間（Motion-compensated Interpolation）方法や、動き適応補間方法などの適した補償方法を用いて現フィールドで補間すべくピクセルに対する補間値を算出する。
【００２７】
出力部３５０は、３：２プルダウン補償部２００及びＩＰＣ部２５０の補間値のうち何れか１つを選択的に出力し、変換方法選択部３００は、スクロールテキスト/グラフィック検出部１００及び３：２プルダウン検出部１５０の判断結果を参照して出力部３５０の出力選択を制御する。出力部３５０から出力される出力映像が最終の補間値となる。
【００２８】
図３は、図２のスクロールテキスト/グラフィック検出部１００の詳細ブロック図である。同図を参照すると、スクロールテキスト/グラフィック検出部１００はフィールドバッファ部１０５、スクロール検出部１１０、スクロールライン検出部１１５、デマルチプレクサー１２０、スクロールフラグバッファ部１２５、マルチプレクサー１３０からなる。
【００２９】
フィールドバッファ部１０５は、入力映像の各フィールドを入力される順序に従って順次にバッファリングしスクロール検出部１１０及びスクロールライン検出部１１５に提供する。よって、スクロール検出部１１０及びスクロールライン検出部１１５は、現在に入力されるフィールド及びフィールドバッファ部１０５に格納されたフィールドを使用すれば、前フィールド、現フィールド、次フィールドを同時に参照できる。
【００３０】
スクロール検出部１１０は、現フィールド及びフィールドバッファ部１０５に格納された前フィールドを基準にして水平方向にスクロールされるテキストやグラフィックデータなどのスクロールモーションが存するかを判断する。
【００３１】
スクロールライン検出部１１５は、スクロール検出部１１０の判断の結果、現フィールドにスクロールモーションが存する場合には、所定の探索領域内の各ライン別にスクロールモーションが存するかを判断する。一般に、スクロールリングテキストやグラフィックデータは、画面の下端部分に存在するため、全フィールドに渡ってスクロールモーションを検出する代わりに探索領域を適切に設定して検出速度を向上させることが可能である。
【００３２】
スクロールフラグバッファ部１２５は、各ラインについてスクロールモーションが存するかを表すスクロールモーション情報を各ライン別に格納する。この際にデマルチプレクサー１２０は、スクロールモーションがスクロールフラグバッファ部１２５の各ラインに割当てられた位置に格納されるようにし、マルチプレクサー１３０は、外部から入力される情報によってスクロールフラグバッファ部１２５の当該位置に格納されたスクロールモーション情報を引出して外部に出力する。
【００３３】
図４は、本発明に係る映像フォーマット検出装置に対する動作方法の説明が提供される流れ図である。同図を参照すると、３：２プルダウン検出部１５０は、入力映像が３：２プルダウンされ生成された３：２プルダウンフォーマットであるかを検出する（Ｓ４００）。３：２プルダウンフォーマットであるか否かは、各フィールドに対するＳＡＤ（Summed Absolute Difference）値などの変化周期を観察すれば検出できる。３：２プルダウンフォーマットの詳細な検出方法につき、「映像信号のフィルムモード検出装置及び方法」という発明の名称で本出願人が既出願した特許出願番号１０―２００２―００４１０２１に詳説されており、これは本明細書に参照され本発明の一部をなす。
【００３４】
３：２プルダウン検出部１５０の検出結果の入力映像が３：２プルダウンフォーマットでない場合、ＩＰＣ部２５０から算出された補間値を使用する（Ｓ４１０、Ｓ４４０）。
【００３５】
これとは相違に、入力映像が３：２プルダウンフォーマットである場合には、スクロールテキスト/グラフィック検出部１００は、現フィールドに水平方向にスクロールされるテキストやグラフィックデータなどのスクロールモーションが存するかを判断する（Ｓ４２０）。この場合、図５のように、０番と２番フィールドの間、５番と７番フィールドの間のように、同一フレームから生成されたフィールドを使用してスクロールモーションを検出することにより正確な判断が可能である。このためにフィールドバッファ部１０５に順次に格納されたフィールドのうち当該フィールドがスクロール検出部１１０及びスクロールライン検出部１５に出力されるよう制御されるべきである。
【００３６】
スクロールテキスト/グラフィック検出部１００の判断の結果、スクロールモーションが存する場合にはＩＰＣ部２５０の補間値を使用し（Ｓ４４０）、スクロールモーションが存しない場合には３：２プルダウン補償部２００の出力値を補間値として使用する（Ｓ４３０）。
【００３７】
スクロールモーションが存するか否か、及び各ラインに対するスクロールモーションが存するか否かを検出する方法については「動き検出装置及びその方法」という発明の名称で本出願人が既出願した特許出願番号１０―２００２―００７４２７７に詳説されており、本明細書に参照され本発明の一部をなす。
【００３８】
前述した方式に従って、入力映像が３：２プルダウンフォーマットであるか否か、及び３：２プルダウンフォーマットである場合、水平に動くインタレースフォーマットのテキストやグラフィックデータが存するか否かによって、適した補間値を使用し適応的に補間することにより、補間された下面にてスクロールされるテキストやグラフィックデータが化けてしまう現象が抑えられる。
【００３９】
以上で代表的な実施例を通して本発明について詳細に説明したが、本発明の属する技術分野において通常の知識を持つ者は前述した実施例について本発明の範疇から逸脱しない限度内で多様な変形が可能であることを理解できろう。従って、本発明の権利範囲は説明された実施例に限られず特許請求の範囲だけではなく本特許請求の範囲と均等なものによって定められるべきである。
【産業上の利用可能性】
【００４０】
本発明は映像フォーマットの変換装置及びその方法に適用され、３：２プルダウンされて生成された映像に含まれている水平方向に動くインタレースフォーマットのテキストとグラフィックデータを検出してエラーのなしにプログレッシブフォーマットの映像に変換でできる。
【図面の簡単な説明】
【００４１】
【図１】３：２プルダウンの方法を説明するための図である。
【図２】本発明に係る映像フォーマットの変換装置に対するブロック図である。
【図３】図２のスクロールテキスト/グラフィック検出部の詳細ブロック図である。
【図４】本発明に係る映像フォーマットの変換装置に対する動作方法の説明に提供される流れ図である。
【図５】本発明に係る映像フォーマットの変換装置に対する動作過程の説明に提供される図である。
【符号の説明】
【００４２】
１００    スクロールテキスト/グラフィック検出部
１０５    フィールドバッファ部
１１０    スクロール検出部
１１５    スクロールライン検出部
１２０    デマルチプレクサー
１２５    スクロールフラグバッファ部
１３０    マルチプレクサー
１５０    ３：２プルダウン検出部
２００    ３：２プルダウン補償部
２５０    ＩＰＣ部
３００    変換方法選択部
３５０    出力部
【図１】
2004208312.tif 000003
【図２】
2004208312.tif 000004
【図３】
2004208312.tif 000005
【図４】
2004208312.tif 000006
【図５】
2004208312.tif 000007